(57)【特許請求の範囲】
【請求項１】
複数の画素を有する表示パネルと、
前記表示パネルを駆動する駆動回路と、
少なくとも第１の色及び第２の色を含む複数色の光を順次照射するバックライトとを備え、
１フレーム期間が複数のフィールドに分けられ、前記１フレーム期間中の１フィールド毎に、前記複数色の中の一つの色の映像電圧を前記複数の画素の各画素に書き込み、前記バックライトから前記複数色の中の前記一つの色の光を発光させて、前記表示パネルに画像を表示するフィールドシーケンシャル方式の表示装置であって、
前記各画素は、前記各画素の前記画素電極に接続されるストア容量を有し、
前記駆動回路は、前記各画素の前記ストア容量に順次前記映像電圧を書き込んだ後に、前記各画素の前記ストア容量に書き込まれたそれぞれの前記映像電圧を、一括して前記各画素の前記画素電極に書き込み、
前記駆動回路が、前記複数の画素のうちの１つである第１の画素の画素電極に、前記第１の色の映像電圧の次に前記第２の色の映像電圧を書き込む場合に、前記第１の画素の前記画素電極への前記第２の色の前記映像電圧の書き込み開始タイミングよりも、前記第１の画素の存在する領域に前記第１の色の光を照射する前記バックライトの光源の発光終了タイミングの方が遅く、
前記第１の色の映像電圧の書き込み終了タイミングよりも前記第１の色の光を照射する前記バックライトの光源の発光開始タイミングの方が遅いことを特徴とする表示装置。
【請求項２】
前記駆動回路が前記第１の画素の前記画素電極に前記第１の色の前記映像電圧を書き込んでいる途中の期間内には、前記バックライトは前記第１の画素の存在する前記領域に前記第１の色の前記光を照射せず、
前記駆動回路が前記第１の画素の前記画素電極に前記第１の色の前記映像電圧を書き込み終わった後に、前記バックライトは前記第１の画素の存在する前記領域に前記第１の色の前記光を照射することを特徴とする請求項１に記載の表示装置。
【請求項３】
前記第１の画素の前記画素電極への前記第２の色の前記映像電圧の前記書き込み開始タイミングから、前記第１の画素の存在する前記領域に前記第１の色の前記光を照射する前記バックライトの前記光源の前記発光終了タイミングまでの期間をＴとし、前記１フレーム期間をＭとするとき、前記期間Ｔは、Ｔ≦Ｍ／１８を満足することを特徴とする請求項１または請求項２に記載の表示装置。
【請求項４】
前記第１の画素の前記画素電極への前記第２の色の前記映像電圧の前記書き込み開始タイミングから、前記第１の画素の存在する前記領域に前記第１の色の前記光を照射する前記バックライトの前記光源の前記発光終了タイミングまでの期間をＴとするとき、前記期間Ｔは、Ｔ≦１ｍｓを満足することを特徴とする請求項１または請求項２に記載の表示装置。
【請求項５】
前記第１の画素の前記画素電極への前記第２の色の前記映像電圧の前記書き込み開始タイミングから、前記第１の画素の存在する前記領域に前記第１の色の前記光を照射する前記バックライトの前記光源の前記発光終了タイミングまでの期間をＴとするとき、前記期間Ｔは、１０μｓ≦Ｔ≦１ｍｓを満足することを特徴とする請求項１または請求項２に記載の表示装置。
【請求項６】
前記第１の画素の前記画素電極への前記第２の色の前記映像電圧の前記書き込み開始タイミングから、前記第１の画素の存在する前記領域に前記第１の色の前記光を照射する前記バックライトの前記光源の前記発光終了タイミングまでの期間をＴとするとき、前記期間Ｔは、１００μｓ≦Ｔ≦１ｍｓを満足することを特徴とする請求項１または請求項２に記載の表示装置。
【発明の詳細な説明】
【技術分野】
【０００１】
本発明は、液晶表示装置に係り、特に、フィールドシーケンシャル方式の液晶表示装置の駆動方式に関する。
【背景技術】
【０００２】
フィールドシーケンシャル方式の液晶表示装置では、カラー画像を表示するのにカラーフィルタを使用せずに、赤、緑、青の映像信号を順次液晶パネルの各画素に書き込み、それにあわせて、バックライトの色を赤、緑、青と切り替えて順次点灯させ、カラー画像を表示する。
このフィールドシーケンシャル方式の液晶表示装置は、カラーフィルタが必要ないため、カラーフィルタによる光の吸収がなく、さらに、カラーフィルタ方式のように、液晶表示パネルに、赤、緑、青の画素を作る必要がなく、画素の開口領域が広く取れるので、表示画像の輝度を向上させることが可能である。また、当然の如く、カラーフィルタ分のコストも下げることができる。
このフィールドシーケンシャル方式の液晶表示装置は、例えば、下記特許文献１，特許文献２に記載されている。
【０００３】
なお、本願発明に関連する先行技術文献としては以下のものがある。
【特許文献１】特開２００２−２２１７０２号公報
【特許文献２】特開開１１−２９５６９４号公報
【発明の開示】
【発明が解決しようとする課題】
【０００４】
前述したように、フィールドシーケンシャル方式の液晶表示装置は、カラーフィルタによる光の吸収がなく、さらに、画素の開口領域が広く取れるので、表示画像の輝度を向上させることが可能である。
しかしながら、１フレーム内で、赤、緑、青の画像を表示する必要があるため駆動周波数が高くなるので、液晶の応答速度が速くなくてはいけない、あるいは、フレーム周波数が遅いと、赤、緑、青のちらつきが見えるなどの短所がある。
特に、液晶の応答速度と、バックライトの点灯タイミングにより色シェーディングが発生するという問題点があった。
本発明は、前記従来技術の問題点を解決するためになされたものであり、本発明の目的は、色シェーディングを低減することが可能なフィールドシーケンシャル方式の液晶表示装置を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）複数の画素を有する液晶表示パネルと、前記液晶表示パネルを駆動する駆動回路と、少なくとも第１の色及び第２の色を含む複数色の光を順次照射するバックライトとを備え、
１フレーム期間が複数のフィールドに分けられ、前記１フレーム期間中の１フィールド毎に、前記複数色の中の一つの色の映像電圧を前記複数の画素の各画素に書き込み、前記バックライトから前記複数色の中の前記一つの色の光を発光させて、前記液晶表示パネルに画像を表示するフィールドシーケンシャル方式の液晶表示装置であって、
前記駆動回路が、前記複数の画素のうちの１つである第１の画素の画素電極に、前記第１の色の映像電圧の次に前記第２の色の映像電圧を書き込む場合に、前記第１の画素の前記画素電極への前記第２の色の前記映像電圧の書き込み開始タイミングよりも、前記第１の画素の存在する領域に前記第１の色の光を照射する前記バックライトの光源の発光終了タイミングの方が遅いことを特徴とする。
（２）（１）において、前記駆動回路が前記第１の画素の前記画素電極に前記第１の色の前記映像電圧を書き込んでいる途中の期間内には、前記バックライトは前記第１の画素の存在する前記領域に前記第１の色の前記光を照射せず、
前記駆動回路が前記第１の画素の前記画素電極に前記第１の色の前記映像電圧を書き込み終わった後に、前記バックライトは前記第１の画素の存在する前記領域に前記第１の色の前記光を照射することを特徴とする。
【０００６】
（３）（１）または（２）において、前記液晶表示パネルは、前記第１の画素とは異なる位置に前記複数の画素のうちの１つである第２の画素を有し、
前記バックライトは、前記第１の画素が存在する前記領域に前記第１の色の前記光を照射する前記光源の発光タイミングと、前記第２の画素が存在する領域に前記第１の色の光を照射する光源の発光タイミングとが異なることを特徴とする。
（４）（１）または（２）において、前記各画素は、前記各画素の前記画素電極に接続されるストア容量を有し、
前記駆動回路は、前記各画素の前記ストア容量に順次前記映像電圧を書き込んだ後に、前記各画素の前記ストア容量に書き込まれたそれぞれの前記映像電圧を、一括して前記各画素の前記画素電極に書き込むことを特徴とする。
（５）（１）から（４）の何れかにおいて、前記第１の画素の前記画素電極への前記第２の色の前記映像電圧の前記書き込み開始タイミングから、前記第１の画素の存在する前記領域に前記第１の色の前記光を照射する前記バックライトの前記光源の前記発光終了タイミングまでの期間をＴとし、前記１フレーム期間をＭとするとき、前記期間Ｔは、Ｔ≦Ｍ／１８を満足することを特徴とする。
（６）（１）から（４）の何れかにおいて、前記第１の画素の前記画素電極への前記第２の色の前記映像電圧の前記書き込み開始タイミングから、前記第１の画素の存在する前記領域に前記第１の色の前記光を照射する前記バックライトの前記光源の前記発光終了タイミングまでの期間をＴとするとき、前記期間Ｔは、Ｔ≦１ｍｓを満足することを特徴とする。
（７）（１）から（４）の何れかにおいて、前記第１の画素の前記画素電極への前記第２の色の前記映像電圧の前記書き込み開始タイミングから、前記第１の画素の存在する前記領域に前記第１の色の前記光を照射する前記バックライトの前記光源の前記発光終了タイミングまでの期間をＴとするとき、前記期間Ｔは、１０μｓ≦Ｔ≦１ｍｓを満足することを特徴とする。
（８）（１）から（４）の何れかにおいて、前記第１の画素の前記画素電極への前記第２の色の前記映像電圧の前記書き込み開始タイミングから、前記第１の画素の存在する前記領域に前記第１の色の前記光を照射する前記バックライトの前記光源の前記発光終了タイミングまでの期間をＴとするとき、前記期間Ｔは、１００μｓ≦Ｔ≦１ｍｓを満足することを特徴とする。
【発明の効果】
【０００７】
本願において開示される発明のうち代表的なものによって得られる効果を簡単に説明すれば、下記の通りである。
本発明のフィールドシーケンシャル方式の液晶表示装置によれば、色シェーディングを低減することが可能となる。
【発明を実施するための最良の形態】
【０００８】
以下、図面を参照して本発明の実施例を詳細に説明する。
なお、実施例を説明するための全図において、同一機能を有するものは同一符号を付け、その繰り返しの説明は省略する。
［実施例１］
図１は、本発明の実施例１の液晶表示モジュールの概略構成を示すブロック図である。
本実施例の液晶表示モジュールは、複数の画素を有する液晶表示パネル１０と、バックライト（ＢＬ）とを有する。液晶表示パネル１０は、各画素に映像電圧を供給するソースドライバ（ドレインドライバ、映像線駆動回路と呼ばれる場合もある）２０と、走査電圧を供給するゲートドライバ（走査線駆動回路と呼ばれる場合もある）３０とを有する。
バックライト（ＢＬ）は、点灯制御回路４０により駆動される。そして、ソースドライバ２０、ゲートドライバ３０、および点灯制御回路４０は、タイミング制御回路５０により制御・駆動される。
図２は、本実施例の液晶表示パネル１０の画素部の一例の等価回路を示す回路図である。
液晶表示パネル１０には、複数の走査線（またはゲート線）（Ｇ１〜Ｇｎ）と、複数の映像線（ソース線またはドレイン線）（Ｄ１〜Ｄｍ）とが各々並列して設けられる。複数の走査線（Ｇ）と複数の映像線（Ｄ）との交差する部分に対応して画素部が設けられる。
複数の走査線（Ｇ１〜Ｇｎ）はゲートドライバ３０に接続され、複数の映像線（Ｄ１〜Ｄｍ）は、ソースドライバ２０に接続される。
【０００９】
複数の画素部はマトリックス状に配置され、各画素部には、薄膜トランジスタ（ＴＦＴ）と、薄膜トランジスタ（ＴＦＴ）のドレイン（または、ソース）に接続される画素電極（ＩＴＯ１）とが設けられる。
薄膜トランジスタ（ＴＦＴ）のゲートは、走査線（Ｇ）に接続され、ソース（または、ドレイン）は映像線（Ｄ）に接続される。
液晶を挟み、各画素電極（ＩＴＯ１）に対向するように、共通電極（対向電極、または、コモン電極ともいう）（Ｖｃｏｍ）が設けられる。そのため、各画素電極（ＩＴＯ１）と共通電極（Ｖｃｏｍ）との間には液晶容量（ＣＬＣ）が形成される。
液晶表示パネル１０は、画素電極（ＩＴＯ１）、薄膜トランジスタ（ＴＦＴ）等が設けられたガラス基板（ＧＬＡＳ１）と、共通電極（Ｖｃｏｍ）等が形成されるガラス基板（ＧＬＡＳ２）とを、所定の間隙を隔てて重ね合わせ、該両基板間の周縁部近傍に枠状に設けたシール材により、両基板を貼り合わせると共に、シール材の一部に設けた液晶封入口から両基板間のシール材の内側に液晶を封入、封止し、さらに、両基板の外側に偏光板を貼り付けて構成される。
なお、本発明は、液晶パネルの内部構造とは関係がないので、液晶パネルの内部構造の詳細な説明は省略する。さらに、本発明は、どのような構造の液晶パネルであっても適用可能である。
【００１０】
従来のフィールドシーケンシャル方式の液晶表示モジュールの駆動方法を図４に示す。図４（ａ）は、フレームパルス（フレーム開始信号ともいう）を示し、図４（ｂ）は、Ｒ、Ｇ、Ｂの各色の映像電圧の液晶表示パネル１０への書き込み期間を示し、図４（ｃ）は、バックライトの点灯タイミングを示す。
図４に示すように、従来のフィールドシーケンシャル方式の液晶表示モジュールでは、１フレーム期間が、Ｒ，Ｇ，Ｂの各色の画像をそれぞれ表示する３フィールドに分割される。
各フィールド毎の走査期間に、ゲートドライバ３０から各走査線（Ｇ）に選択電圧を供給し、各走査線（Ｇ）を順次選択して、薄膜トランジスタ（ＴＦＴ）をオンとするとともに、ソースドライバ２０から各映像線（Ｄ）に各色の映像電圧を供給し、液晶表示パネル１０の各画素に、Ｒ，Ｇ，Ｂの各色の映像電圧を書き込んだ後に、バックライト（ＢＬ）を点灯し、液晶表示パネル１０に書き込まれた映像電圧の色と同じ色の光を照射することにより、液晶表示パネル１０にカラー画像を表示する。
この時、図４（ｃ）に示すように、バックライト（ＢＬ）は、液晶表示パネル１０の全画素へ映像電圧の書き込みが終わった後で、液晶の変化を待って点灯させる。
液晶の変化の途中に点灯させると、液晶の変化が見え、これが前述した色シェーディングとなる。これをさけるため、バックライト（ＢＬ）の点灯開始タイミングを遅くすると、点灯期間が短くなり、液晶表示パネル１０の輝度が低下する。
【００１１】
本実施例の液晶表示モジュールの駆動方法を図３に示す。図３（ａ）は、フレームパルス（フレーム開始信号ともいう）を示し、図３（ｂ）は、Ｒ、Ｇ、Ｂの各色の映像電圧の液晶表示パネル１０への書き込み期間を示し、図３（ｃ）は、バックライトの点灯タイミングを示す。
本実施例では、この問題を解決するため、図３（ｃ）に示すように、バックライト（ＢＬ）の点灯期間を、液晶表示パネル１０の画素に次の色の映像電圧を書き込む期間と一部オーバーラップさせる。
即ち、図３（ｃ）に示すように、液晶表示パネル１０の全画素へ映像電圧の書き込みが終わった後で、液晶の変化を待ってバックライト（ＢＬ）を点灯させる。そして、液晶表示パネル１０の画素に次の色の映像電圧の書き込みが開始された後に、バックライト（ＢＬ）の点灯を終了する。
このように、本実施例では、液晶表示パネル１０の画素に対する、次の色の映像電圧の書き込み開始タイミングよりも、バックライト（ＢＬ）の発光終了タイミングの方が遅いことを特徴とする。
これは、液晶の変化の速度の特性と、液晶の変化が開始するまでの時間には多少の遅れがあることを利用したものである。すなわち、図３（ｂ）の書き込みの期間と、図示しない液晶の変化期間とは一致していない。したがって、駆動回路が、液晶表示パネル１０の画素の画素電極に映像電圧を書き込んでから、液晶が変化するまではタイムギャップがあり、このタイムギャップの期間は、前の色を点灯させていても色シェーディングにはならないからである。
これにより、本実施例では、バックライト（ＢＬ）の点灯期間を長くとることができ、パネルの輝度を向上させる事が可能である。
【００１２】
図５は、図１に示す点灯制御回路４０の一例を示すブロック図である。
図５に示す回路構成では、タイミング制御回路５０から入力されるバックライトパルス（各色の表示タイミングに同期したパルス）を、位相調整回路４１により、次の映像電圧の書き込み期間内まで遅延させる。
そして、位相調整回路４１で遅延させたバックライトパルスを、バックライト駆動回路４２に入力し、赤、緑、青色の光を発光させる。図５では、光源として、赤、緑、青色の各発光ダイオードを点灯させる例を示している。
本実施例において、図３（ｃ）に示すように、液晶表示パネル１０の画素の画素電極に対する、次の色の映像電圧の書き込み開始タイミングから、バックライト（ＢＬ）の発光終了タイミングまでの期間をＴ、１フレーム期間をＭとするとき、期間Ｔは、Ｔ≦Ｍ／１８を満足することが望ましい。
あるいは、期間Ｔは、Ｔ≦１ｍｓ、好ましくは、期間Ｔは、１０μｓ≦Ｔ≦１ｍｓ、より好ましくは、前記期間Ｔは、１００μｓ≦Ｔ≦１ｍｓを満足することが望ましい。
【００１３】
［実施例２］
本実施例は、液晶表示パネル１０を複数のエリアに仮想的に分割し、当該分割したエリア毎に、フィールドシーケンシャル方式で画像を表示する液晶表示モジュールに本発明を適用した実施例である。
図６は、本発明の実施例２の液晶表示モジュールの概略構成を示すブロック図である。
本実施例の液晶表示モジュールは、液晶表示パネル１０の画素領域が、Ｅ１〜Ｅ４に４分割され、それに合わせて、バックライト（ＢＬ）も、Ｂ１〜Ｂ４に４分割され、点灯制御回路４０が分割されたバックライト（Ｂ１〜Ｂ４）を個別に制御する点で、図１に示す液晶表示モジュールと相違する。
図７は、本実施例の液晶表示モジュールの駆動方法を説明するためのタイミングチャートである。図７において、ＦＬＭはフレーム期間、ＦＩＲはフィールド期間を表す。
Ａ１は、液晶表示パネル１０の１番目からＮ番目までの走査線（Ｇ）により選択される画素領域（Ｅ１）に対する映像電圧の書き込み期間、Ａ２は、液晶表示パネル１０の（Ｎ＋１）番目から２Ｎ番目までの走査線（Ｇ）により選択される画素領域（Ｅ２）に対する映像電圧の書き込み期間、Ａ３は、液晶表示パネル１０の（２Ｎ＋１）番目から３Ｎ番目までの走査線（Ｇ）により選択される画素領域（Ｅ３）に対する映像電圧の書き込み期間、Ａ４は、液晶表示パネル１０の（３Ｎ＋１）番目から４Ｎ番目までの走査線（Ｇ）により選択される画素領域（Ｅ４）に対する映像電圧の書き込み期間である。なお、ここでは、液晶表示パネル１０は、１番目から４Ｎ番目までの走査線（Ｇ）を有する場合を想定している。また、図７において、Ａ５は帰線期間である。
【００１４】
さらに、図７において、ＢＡ０１〜ＢＡ０４は、分割されたバックライト（Ｂ１〜Ｂ４）の点灯期間と、消灯期間を示しており、矢印付き破線内が点灯期間で、矢印付き破線内のＲ、Ｇ、Ｂが、それぞれ赤色、緑色、青色の点灯色を表す。
図７に示すように、期間Ａ１に、画素領域（Ｅ１）の画素に映像電圧を書き込んだ後、期間Ａ３の開始タイミングで、バックライト（Ｂ１）を点灯する。画素領域（Ｅ２〜Ｅ４）の画素にも同様にして、映像電圧を書き込んだ後、バックライト（Ｂ２〜Ｂ４）を点灯することにより、液晶表示パネル１０に、カラーの画像を表示する。
これにより、液晶表示パネル１０は、第１の画素とは異なる位置に第２の画素を有し、バックライト（ＢＬ）は、第１の画素が存在する領域に第１の色の光を照射する光源の発光タイミングと、第２の画素が存在する領域に第１の色の光を照射する光源の発光タイミングとが異なっている。
このように構成することで、例えば画素領域（Ｅ３）や画素領域（Ｅ４）における画素に映像電圧を書き込んでいる最中であっても、画素領域（Ｅ１）の画素ではバックライト（Ｂ１）を点灯して表示を開始することができるので、バックライト（Ｂ１）を点灯可能な時間を長く確保できるという利点がある。また、応答の遅い液晶を使う場合であっても応答が終わるまで待つ時間を確保できるため、応答の遅い液晶を使うことも可能となる。
図８に、従来の液晶表示モジュールの駆動方法を説明するためのタイミングチャートを示す。
図８と比較により分かるように、本実施例でも、液晶表示パネル１０の画素領域（Ｅ１〜Ｅ４）の画素に対する次の色の映像電圧の書き込み開始タイミングよりも、バックライト（Ｂ１〜Ｂ４）の発光終了タイミングの方が遅くされる。
本実施例においても、図７に示すように、液晶表示パネル１０の画素領域（Ｅ１〜Ｅ４）の画素の画素電極に対する次の色の映像電圧の書き込み開始タイミングから、バックライト（Ｂ１〜Ｂ４）の発光終了タイミングまでの期間をＴ、１フレーム期間をＭとするとき、期間Ｔは、Ｔ≦Ｍ／１８を満足することが望ましい。
あるいは、期間Ｔは、Ｔ≦１ｍｓ、好ましくは、期間Ｔは、１０μｓ≦Ｔ≦１ｍｓ、より好ましくは、前記期間Ｔは、１００μｓ≦Ｔ≦１ｍｓを満足することが望ましい。
【００１５】
［実施例３］
本実施例は、液晶表示パネル１０の画素に、ストア容量（ＣＳＴ）を設け、ストア容量（ＣＳＴ）に順次映像電圧を書き込んだ後に、一括して、画素電極（ＩＴＯ１）に映像電圧を転送し、フィールドシーケンシャル方式で画像を表示する液晶表示モジュールに本発明を適用した実施例である。
図９は、本実施例の液晶表示パネル１０の画素部の等価回路を示す回路図である。
本実施例では、各画素部は、第１薄膜トランジスタ（ＴＦＴａ）と、第２薄膜トランジスタ（ＴＦＴｂ）と、ストア容量（ＣＳＴ）と、液晶容量（ＣＬＣ）とを有する。
第１薄膜トランジスタ（ＴＦＴａ）のゲートは、走査線（Ｇ）に接続され、また、ソース（または、ドレイン）は映像線（Ｄ）に接続される。また、第１薄膜トランジスタ（ＴＦＴａ）のドレイン（または、ソース）は、ストア容量（ＣＳＴ）に接続される。
また、第２薄膜トランジスタ（ＴＦＴｂ）のゲートは、一括駆動線（Ｇｔ）に接続されるとともに、ソース（または、ドレイン）はストア容量（ＣＳＴ）に、また、ドレイン（または、ソース）は、画素電極（ＩＴＯ１）に接続される。そして、画素電極（ＩＴＯ１）は、液晶容量（ＣＬＣ）に接続される。
ここで、各映像線（Ｄ）はソースドライバ２０に接続され、各走査線（Ｇ）はゲートドライバ３０に接続され、さらに、一括駆動線（Ｇｔ）は、例えば、ゲートドライバ３０に接続される。
【００１６】
図１０は、本実施例の液晶表示モジュールの動作を説明するためのタイミングチャートである。
本実施例では、図１０（ａ）に示すように、最初のフィールドでは、ゲートドライバ３０から各走査線（Ｇ１〜Ｇｎ）に選択電圧を印加し、各走査線（Ｇ１〜Ｇｎ）を順次選択して、第１薄膜トランジスタ（ＴＦＴａ）をオンするとともに、ソースドライバ２０から各映像線（Ｄ）に赤（Ｒ）の映像電圧を供給し、ストア容量（ＣＳＴ）に、赤（Ｒ）の映像電圧を書き込む。
液晶表示パネル１０の全画素のストア容量（ＣＳＴ）に、映像電圧を書き込んだ後に、図１０（ｂ）に示すように、一括駆動線（Ｇｔ）に書き込みパルスを供給して、第２薄膜トランジスタ（ＴＦＴｂ）をオンにして、ストア容量（ＣＳＴ）から、画素電極（ＩＴＯ１）に赤（Ｒ）の映像電圧を転送し、液晶表示パネル１０の各画素の画素電極に、赤（Ｒ）の映像電圧を一括して書き込む。
その後、図１０（ｃ）に示すように、バックライト（ＢＬ）を赤（ＲＥＤ）で点灯し、液晶表示パネル１０に書き込まれた映像電圧の色と同じ色の光を照射することにより、液晶表示パネル１０にカラー画像を表示する。その後、バックライト（ＢＬ）を消灯する。
同様の動作を、次のフィールドでは緑（Ｒ）、さらに次のフィールドでは青（Ｂ）について順次行い、この繰り返しでカラー画像を表示する。
このとき、バックライト（ＢＬ）を赤（ＲＥＤ）で点灯している最中に、次の色である緑（Ｇ）の映像電圧をストア容量（ＣＳＴ）に書き込むことができるので、バックライト（ＢＬ）の点灯可能な時間を長く確保できるという利点がある。本実施例によっても、実施例２の場合と同様に、応答速度の遅い液晶を用いることも可能となる。
【００１７】
このとき、液晶表示パネル１０の画素電極（ＩＴＯ１）へ次の色の映像電圧を一括転送する一括書き込み開始タイミングよりも、バックライト（ＢＬ）の発光終了タイミングの方が遅くされる。
本実施例においても、図１０（ｃ）に示すように、液晶表示パネル１０の各画素の画素電極に対する次の色の映像電圧の一括書き込み開始タイミングから、バックライト（ＢＬ）の発光終了タイミングまでの期間をＴ、１フレーム期間をＭとするとき、期間Ｔは、Ｔ≦Ｍ／１８を満足することが望ましい。
あるいは、期間Ｔは、Ｔ≦１ｍｓ、好ましくは、期間Ｔは、１０μｓ≦Ｔ≦１ｍｓ、より好ましくは、前記期間Ｔは、１００μｓ≦Ｔ≦１ｍｓを満足することが望ましい。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１８】
【図１】本発明の実施例１の液晶表示モジュールの概略構成を示すブロック図である。
【図２】本発明の実施例１の液晶表示パネルの画素部の一例の等価回路を示す回路図である。
【図３】本発明の実施例１の液晶表示モジュールの駆動方法を説明するためのタイミングチャートである。
【図４】従来のフィールドシーケンシャル方式の液晶表示モジュールの駆動方法を説明するためのタイミングチャートである。
【図５】図１に示す点灯制御回路の一例を示すブロック図である。
【図６】本発明の実施例２の液晶表示モジュールの概略構成を示すブロック図である。
【図７】本実施例の液晶表示モジュールの駆動方法を説明するためのタイミングチャートである。
【図８】従来の液晶表示モジュールの駆動方法を説明するためのタイミングチャートである。
【図９】本発明の実施例３の液晶表示パネルの画素部の等価回路を示す回路図である。
【図１０】本発明の実施例３の液晶表示モジュールの動作を説明するためのタイミングチャートである。
【符号の説明】
【００１９】
１０  液晶表示パネル
２０  ソースドライバ
３０  ゲートドライバ
４０  点灯制御回路
４１  位相調整回路
４２  バックライト駆動回路
５０  タイミング制御回路
Ｇ  走査線（またはゲート線）
Ｄ  映像線（またはソース線またはドレイン線）
Ｇｔ  一括駆動線
ＢＬ  バックライト
ＴＦＴ，ＴＦＴａ，ＴＦＴｂ  薄膜トランジスタ
ＩＴＯ１  画素電極
Ｖｃｏｍ  共通電極（対向電極、または、コモン電極）
ＣＬＣ  液晶容量
ＣＳＴ  ストア容量
ＧＬＡＳ１，ＧＬＡＳ２  ガラス基板
Ｅ１〜Ｅ４  分割された画素領域
Ｂ１〜Ｂ４  ４分割されたバックライト
【図１】
0004692996.tif 000002
【図２】
0004692996.tif 000003
【図３】
0004692996.tif 000004
【図４】
0004692996.tif 000005
【図５】
0004692996.tif 000006
【図６】
0004692996.tif 000007
【図７】
0004692996.tif 000008
【図８】
0004692996.tif 000009
【図９】
0004692996.tif 000010
【図１０】
0004692996.tif 000011